(57)【要約】【課題】  簡単且つコンパクトな構造で風力に応じた風量の調整を図ることができるとともに安価な換気装置を提供する。【解決手段】  本発明の換気装置１において、枠体５は内周側に室内側開口部１９と、室外側開口部２１と、室内側開口部１９と室外側開口部２１に連通する換気空間２３とを有し、風量調整板７の縦軸又は横軸と平行な縦枠又は横枠には風量調整板７の回転軌跡上に位置して風量調整板７の可動端７ａと対向する対向部３４が設けてあり、風量調整板７の可動端７ａは枠体５の対向部３４側への移動を枠体の対向部３４に接近するほど複数の弾性体９、３５により段階的に強い力で抑制してある。【選択図】      図１
2005273256.tif 000002
【特許請求の範囲】
【請求項１】
枠体と、枠体の見込み幅内で縦軸又は横軸により枠体に回転自在に設けた風量調整板と、複数の弾性体とを備え、枠体は内周側に室内側開口部と、室外側開口部と、室内側開口部と室外側開口部に連通する換気空間とを有し、風量調整板の縦軸又は横軸と平行な縦枠又は横枠には風量調整板の回転軌跡上に位置して風量調整板の可動端と対向する対向部が設けてあり、風量調整板の可動端は枠体の対向部側への移動を枠体の対向部に接近するほど複数の弾性体により段階的に強い力で抑制してあることを特徴とする換気装置。
【請求項２】
風量調整板は一端を回転自在に軸支して他端を可動端としてあり、対向部は枠体の室内側に設けてあり且つ内周側に突出した室内側壁であり、風量調整板の可動端は室内側へ回転するほど移動を抑制する力を強くしていることを特徴とする請求項１に記載の換気装置。
【請求項３】
室内側開口部を開閉自在な閉鎖体を備え、閉鎖体は風量調整板の可動端側にある縦枠又は横枠に軸着した戸であることを特徴とする請求項２に記載の換気装置。
【発明の詳細な説明】
【技術分野】
【０００１】
本発明は、換気装置に関するものである。
【背景技術】
【０００２】
特許文献１には、枠体の見込み幅内において風量調整板を室内外方向に摺動自在に設けた換気装置が開示されており、この従来の換気装置では、室外の風力が強い場合には風量調整板が風に押されて室内側に移動することにより、風量調整板と枠体との間に形成されている通風路を狭めて、室内に流入する風量を小さくするようにした構成が開示されている。
【０００３】
【特許文献１】特開２００１−２０６３２号公報
【発明の開示】
【発明が解決しようとする課題】
【０００４】
しかし、上述した特許文献１に開示の技術では、風量調整板が風力を受けて枠体内を摺動するが、小さい風力で風量調整板を摺動させるための加工が困難であった。特に、風力が小さい場合には僅かに摺動し風力が大きい場合には大きく摺動する必要があるが、風力に応じて風量調整板の摺動量を調節する加工が困難であり、コストアップになるという問題があった。
そこで本発明は、簡単且つコンパクトな構造で風力に応じた風量の調整を図ることができるとともに安価な換気装置の提供を目的とする。
【課題を解決するための手段】
【０００５】
請求項１に記載の発明は、枠体と、枠体の見込み幅内で縦軸又は横軸により枠体に回転自在に設けた風量調整板と、複数の弾性体とを備え、枠体は内周側に室内側開口部と、室外側開口部と、室内側開口部と室外側開口部に連通する換気空間とを有し、風量調整板の縦軸又は横軸と平行な縦枠又は横枠には風量調整板の回転軌跡上に位置して風量調整板の可動端と対向する対向部が設けてあり、風量調整板の可動端は枠体の対向部側への移動を枠体の対向部に接近するほど複数の弾性体により段階的に強い力で抑制してあることを特徴とする。
【０００６】
請求項２に記載の発明は、請求項１に記載の発明において、風量調整板は一端を回転自在に軸支して他端を可動端としてあり、対向部は枠体の室内側に設けてあり且つ内周側に突出した室内側壁であり、風量調整板の可動端は室内側へ回転するほど移動を抑制する力を強くしていることを特徴とする。
【０００７】
請求項３に記載の発明は、請求項２に記載の発明において、室内側開口部を開閉自在な閉鎖体を備え、閉鎖体は風量調整板の可動端側にある縦枠又は横枠に軸着した戸であることを特徴とする。
【発明の効果】
【０００８】
請求項１に記載の発明では、風量調整板が風を受けると、風量調整板が軸回りに回転して風量調整板の可動端が枠体の対向部に向けて移動し、通風路を狭めて通過する風量を小さくする。風量調整板が通風路を狭める方向に移動すると、それに伴って風量調整板が受ける風力が大きくなるが、風量調整板の可動端は枠体の対向部側への移動を、枠体の対向部に接近するほど複数の弾性体により段階的に強い力で抑制してあるので、風量調整板は風力に応じた釣り合い位置を取り、風力に応じた風量の調整を図ることができる。特に、風が強い場合であっても定風量の確保が容易にできる。
風量調整板の可動端は対向部に近接するほど可動端の移動を抑制する力を強くして風量調整板の回転位置を調節しているから、従来技術のように、風量調整板の摺動を調節する加工が必要なく、簡単な構造で風量の調節を図ることができるとともに安価に製造することができる。
枠体には風量調整板の可動端との対向部を設け、風量調整板は枠体の見込み幅内に納めてあり且つ風量調整板の可動端が対向部に近づくほど対向部側への移動を抑制する力を強めて回転を抑制してあるので、換気装置を簡単でコンパクトな構造にすることができる。
【０００９】
請求項２に記載の発明は、請求項１に記載の発明と同様な作用効果を奏するとともに、風量調整板の一端を回転軸として他端を可動端として、可動端と対向部との間に通風路を形成して風量を調節しているから、風量調整板の両側に通風路を形成する場合に比較して、風量調整板における通風量の調節は片側だけで済むので製造が容易で且つ安価に製造できる。
【００１０】
請求項３に記載の発明では、請求項２に記載の発明と同様な作用効果を奏するとともに、室内側開口部には枠に軸着した閉鎖体を設けているので、閉鎖体を所定量開くことにより、室内に吹き込む風の向きを調節でき、風の流れをスムーズにできる。
【発明を実施するための最良の形態】
【００１１】
以下に、添付図面を参照して本発明の実施の形態を詳細に説明するが、まず、図１〜図図３を参照して本発明の第１実施の形態について説明する。図１は図３のＡ−Ａ断面図であり、図２は図１のＢ−Ｂ断面図であり、図３は本実施の形態にかかる換気装置を設けたサッシを室内側から見た正面図である。尚、図２では閉鎖体１０は閉じた位置にあるが、図１では閉鎖体１０が開いた状態を示している。
本実施の形態にかかる換気装置１は引き違いサッシ３の横（室内側から見て右側）で高さ方向に設けてあり且つサッシ３と同じ高さ寸法としている。
換気装置１は室内の換気を図るものであり、枠体５と、枠体５の見込み幅内に設けた風量調整板７と、一方の弾性体９と、他方の弾性体３５と、閉鎖体１０とから構成されている。
枠体５は、上枠１１と、下枠１３と、左縦枠（室内側から見て左）１５と、右縦枠（室内側から見て左）１７とから構成されている。尚、左縦枠１５はサッシ３の方立である。枠体５には室内側開口部１９と、室外側開口部２１と、室内側開口部１９と室外側開口部２１とを連通する換気空間２３とが形成されている。
左縦枠１５の室内側下部には風量調整板の軸（回転軸）２９を受ける下軸受け２５が取り付けられており、左縦枠の室内側上部には上軸受け２７が取り付けられている。下軸受け２５には回転軸２９の尖った下端を受けるすり鉢状の凹部３９が形成されており、上軸受け２７には回転軸２９の上端が挿入される貫通孔４１が形成されている。
右縦枠１７には内周側に横断面円弧状の内周壁３１が形成されており、換気空間２３を流れる風が円弧状の内周壁３１に沿って流れるようになっている。また、右縦枠１７の室内側には風量調整板７の可動端７ａと対向する対向部３４が設けてあり、対向部３４は可動端の回転軌跡上に位置して、風量調整板７の回転により可動端７ａが対向部３４に近づいて、通風路３２を狭めるようになっている。
尚、枠体５の室外側開口部２１には網戸３７が取り付けられている。また、枠体５にはめくら板４２の取付部４５が設けてあり、本実施の形態では取付部４５は下枠１３に設けて、枠体５の下部にめくら板４２を取り付けてある。
風量調整板７は、一端に上述した上下方向の回転軸２９が設けてあり、他端７ａが可動端になっており、回転軸２９の回りを回転自在にしてある。
風量調整板７には、円弧状のガイド面４３が設けてあり、ガイド面４３は室外側に向けて突設して形成してあり且つガイド面４３で受けた風を円弧状の内周壁３１に向けて案内するようになっている。
一方の弾性体９は引張りコイルばねであり、伸び量に比例して収縮方向に付勢力を強めるようになっており、一端９ａが右縦枠１７の室外側に固定されており、他端９ｂが風量調整板７の可動端７ａに固定されている。一方の弾性体９は風量調整板７の可動端７ａが枠体５の対向部３４に接近するほど対向部３４から離す方向の付勢力を強くしている。
他方の弾性体３５は圧縮コイルばねであり、縮み量に比例して伸び方向に付勢力を強めるようになっており、可動端側７を自由端にして対向部３４に設けられている。他方の弾性体３５は、風量調整板７の可動端７ａが所定量を超えて回動したときに自由端が可動端７ａを受けて、一方の弾性体９と共同して可動端７ａが対向部３４側への移動を抑制する力を強めている。
閉鎖体１０は、枠体５の室内側に設け室内側開口部１９を開閉自在にしている。閉鎖体１０は一端を右縦枠１７に軸着した戸であり、閉鎖体１０の回動軸側には開き角度規制部材４７が設けてあり、閉鎖体１０が所定角度以上開くのを規制している。この開き角度規制部材４７には、係止部４９が設けてあり、所定角度開くと閉鎖体１０の被係止部５１に係止して一定角度以上開かないようにしている。
【００１２】
次に、本実施の形態にかかる換気装置１の作用及び効果を説明する。
換気装置１に外気が吹き込まれると、外気は室外側開口部２１、換気空間２３、室内側開口部１９を通って、室内に導入される。室外側開口部２１から換気空間２３に導入された外気は、風量調整板７のガイド面４３に沿って湾曲状に流れて枠体５の湾曲状内周壁３１に案内された後室内側開口部１９から室内に導入される。
換気空間２３を流れる風は、風力調整板７の湾曲状のガイド面４３と枠体５の湾曲状内周壁３１とに案内されるので、スムーズに流れる。
室内側開口部１９から室内に導入される風は所定角度開いた閉鎖体１０に案内されて左縦枠１５側に向けて室内に流入する。このように、室内側に吹き出される風は閉鎖体１０により室内に吹き出す方向が案内されるので、これによってもスムーズな風の流れを得ることができる。
一方、室外側開口部２１から導入される外気の風圧が高まると、風量調整板７が外気の風圧を受けて回転軸２９を中心にして回転し、可動端７ａが室内側の対向部３４に近づいて通風路３２を狭めると、一方の弾性体９が伸びて付勢力が次第に強くなると共に他方の弾性体３５に当接して他方の弾性体３５を押し縮める方向に移動するので、可動端７ａには一方の弾性体９と他方の弾性体３５との２つの弾性体の付勢力が作用して可動端７ａの移動を抑制する力が強くなって、風量調整板７は風圧と弾性体９の付勢力との釣り合いが取れる位置に保たれる。
このように、風量調整板７の可動端７ａは対向部側への移動を、対向部３４に近接するほど、一方の弾性体９及び他方の弾性体３５により可動端７ａ側への移動を抑制する力を段階的に強めているので、風が強い場合であっても定風量を確保することができる。
本実施の形態によれば、弾性体９は風量調整板７の可動端７ａが対向部３４に近づくほど可動端７ａの対向部側への移動を抑制する力を強くして風量調整板７の回転位置を調節しているから、従来技術のように、風量調整板７の摺動を調節する加工が必要なく、簡単な構造で風量の調節を図ることができるとともに安価に製造することができる。
枠体７には風量調整板７の可動端７ａとの対向部３４を設け、風量調整板７は枠体７の見込み幅内に納めて、弾性体９で風量調整板７の回転を抑制しているので、換気装置１を簡単でコンパクトな構造にすることができる。
風量調整板７の一端を回転軸２９として他端を可動端７ａとして、可動端７ａと対向部３４との間に通風路３２を形成して風量を調節しているから、風量調整板７の両側に通風路を形成する場合に比較して、通風路の調節は一側で済むので製造が容易で安価に製造できる。
室内側開口部１９には枠体５に軸着した閉鎖体１０を設けているので、閉鎖体１０を所定位置に開くことにより、室内に吹き込む風の向きを調節でき、室内に吹き込む風の流れをスムーズにできる。
枠体５への風量調整板７の装着は、上軸受け２７の貫通孔４１に回転軸２９を挿入し下軸受け２５の凹部３９が回転軸２９の下端を受ける構成であるから、けんどん式により回転軸２９を取り付けできるので装着が容易にできるとともに、取り外しも容易にできるので、メンテナンス時の取り付け取り外しが容易にできる。更に、下軸受け２５の凹部３９は回転軸２９の尖った下端を受けているので、下軸受け２５と回転軸２９との間の摩擦が小さくでき軽い風力の場合にも回転して風量調整を図ることができる。
また、一方の弾性体９は枠体５と風量調整板７に係止するだけであり且つ他方の弾性体３５は対向部３４に設けて風量調節板側を自由端にしているから、風量調節板７の取り付け取り外しが容易であり、この点においてもメンテンナス作業がしやすい。
枠体５にはめくら板４２の取付部４５が設けてあるから、サッシの高さに合わせて異なる寸法の枠体５を用いた場合にも、同じ寸法の風量調整板７を兼用することができる。
次に、他の実施の形態について説明するが、以下の説明では、上述した実施の形態と同一の作用効果を奏する部分には同一の符号を付することにより、その部分の詳細な説明を省略し、上述した実施の形態と主に異なる点を説明する。
図４〜図６を参照して第２実施の形態を説明する。図４は図６のＣ−Ｃ断面図であり、図５は図４のＥ−Ｅ断面図であり、図３は第２実施の形態にかかる換気装置１を付けたサッシ３を室内側から見た正面図である。尚、図５では閉鎖体１０が閉じた状態を示しているが、図４では閉鎖体が開いた状態を示している。
第２実施の形態では、換気装置１をサッシ３の上部で且つ左右方向に設けており、風量調整板７の回転軸２９は水平に配置して、風量調整板７は水平な軸周りを回転自在になっている点が上述した第１実施の形態と異なる。弾性体９は風量調整板の可動端７ａと下枠１３とに取り付けて、下枠１３の室内側に対向部３４を設けている。閉鎖体１０は下枠１３に軸着してあり、上下方向に回動して室内側開口部１９を開閉自在にしている。
また、第２実施の形態では、回転軸２９を受ける一方の軸受け５３及び他方の軸受け５５にはそれぞれ貫通孔５７が設けてあり、回転軸２９は両端が各貫通孔５７に挿通されている。
この第２実施の形態においては、めくら板４２及びその取付部４５を設けていないので、その点を除いて上述した第１実施の形態と同様な作用効果を得ることができる。
図７及び図８を参照して第３実施の形態を説明する。第３実施の形態にかかる換気装置１は図３に示す第１実施の形態と同様な縦型の換気装置であり、図７は図３のＡ−Ａ断面図と同じ位置で切断した断面図であり、図８は図７のＦ−Ｆ断面図である。
この第３実施の形態にかかる換気装置１では、風量調整板７の両側に可動端７ａ、７ａを設けてあり、回転軸２９を可動端７ａ、７ａ間の中心に設けて風量調整板７の両側に通風路３２、３２を形成している。
また、回転軸２９は換気空間２３の略中央に設けてあり、対向部３４ａ、３４ｂは左右縦枠１５、１７の内周側にそれぞれ設けてあり、一方の対向部３４ａは室外側を向いており、他方の対向部３４ｂは室内側を向いて各可動端７ａ、７ａと対向している。そして、一方の対向部３４ａに他方の弾性体３５を配置している。
この第３実施の形態においても、上述した第１実施の形態と同様に、風量調整板７の可動端７ａ、７ａがそれぞれ各対向部３４ａ、３４ｂに近づくほど可動端７ａの対向部側への移動を抑制する力を強くして風量調整板７の回転位置の釣り合いを取っているから、従来技術のように、風量調整板の摺動を調節する加工が必要なく、簡単な構造で風量の調節を図ることができるとともに安価に製造することができる。
また、枠体５には換気空間２３に風量調整板７の可動端との対向部３４を設け、風量調整板７は枠体５の見込み幅内に納めて、弾性体９で風量調整板の回転を抑制しているので、簡単でコンパクトな構造である。
【００１３】
本発明は、上述した実施の形態に限らず、本発明の要旨を逸脱しない範囲で種々変形可能である。
一方の弾性体９及び他方の弾性体３５をそれぞれ圧縮コイルばねとして、風量調整板７には、可動端７ａと対向部３４との間に高さの異なる一方の弾性体９と他方の弾性体３５を配置しておき、可動端７ａが対向部３４に近づくにしたがって高さの高いコイルばねから順次可動端が当接することにより対向部３４に近づくほど可動端の移動を強く抑制するものであってもよい。
一方の弾性体９及び他方の弾性体３５はそれぞれコイルばねに限らず、ゴム材を用いてもよく、弾性体の種類は限定されない。
また、一方の弾性体９は風量調節板７の可動端７ａと枠体５との間に設けることに限らず、回転軸２９に設けて風量調整板７の回転によりねじれて付勢力を強めるものであってもよく、一方の弾性体９の取り付け位置は限定されない。他方の弾性体３５の取り付け位置も対向部３４に設けて可動端７ａを受けることに限らず、風力調節板７の軸側を受けるものであってもよいし、取り付け位置は限定されない。
第３実施の形態にかかる換気装置は、第２実施の形態のようにサッシ３の上に水平方向に設けて、風量調整板７の回転軸を水平方向に配置するものであってもよい。
第１実施の形態において、めくら板４２及びその取付部４３は下枠１３に換えて上枠１１に設けてもよいし、上枠１１と下枠１３の両方に設けてもよい。また、第２実施の形態において左右縦枠１５、１７のいずれか一方又は両方にめくら板４２及びその取付部４３を設けてもよい。
【図面の簡単な説明】
【００１４】
【図１】図３のＡ−Ａ断面図である。
【図２】図１のＢ−Ｂ断面図である。
【図３】第１実施の形態にかかる換気装置を付けたサッシを室内側から見た正面図である。
【図４】図６のＣ−Ｃ断面図である。
【図５】図４のＥ−Ｅ断面図である。
【図６】第２実施の形態にかかる換気装置を付けたサッシを室内側から見た正面図である。
【図７】第３実施の形態にかかる換気装置の図であり、図３のＡ−Ａ断面図と同じ位置で切断した断面図である。
【図８】図７のＦ−Ｆ断面図である。
【符号の説明】
【００１５】
１      換気装置
５      枠体
７      風量調整板
７ａ    可動端
９      一方の弾性体
１０    閉鎖体
１９    室内側開口部
２１    室外側開口部
２３    換気空間
２９    軸（回転軸）
３５    他方の弾性体
【図１】
2005273256.tif 000003
【図２】
2005273256.tif 000004
【図３】
2005273256.tif 000005
【図４】
2005273256.tif 000006
【図５】
2005273256.tif 000007
【図６】
2005273256.tif 000008
【図７】
2005273256.tif 000009
【図８】
2005273256.tif 000010